(57)【要約】【課題】ヒートポンプタイプの空気調和装置の室外機に係り、室外熱交換器における除霜運転時の融解水の水切りを短時間で確実に行うことができるようにした技術である。【解決手段】空気調和装置１の室外機２における室外熱交換器４は、所定の間隔で平行に配設した多数の縦長の板状フィン５と、板状フィン５を貫通して水平に配設した多数の伝熱管とから形成し、板状フィン５を水平方向で分割して形成した複数の分割熱交換器７と、上下に隣合う分割熱交換器７、７の間に配設し、除霜運転時の融解水を分割板状フィン５１の下端から排水する水切り板８とを備えたから、除霜運転時に分割板状フィン５１で発生した融解水が短い距離で速やかに分割熱交換器７の分割板状フィン５１の下方に到達して水切り板８から排水することができ、除霜運転時間を短くして暖房能力を大きくすることができるのである。【選択図】図２
2014219138.tif 000002
【特許請求の範囲】
【請求項１】
所定の間隔で平行に配設した多数の縦長の板状フィンと、前記板状フィンを貫通して水平に配設した多数の伝熱管とを有し、暖房運転時に蒸発器として機能する室外熱交換器と、前記室外熱交換器に外気を流通させる室外送風機とを備えた空気調和装置の室外機において、
前記板状フィンを水平方向で分割して形成した複数の分割熱交換器と、
上下に隣合う前記分割熱交換器の間に配設し、除霜運転時の融解水を分割板状フィンの下端から排水する水切り板とを備えたことを特徴とする空気調和装置の室外機。
【請求項２】
室外熱交換器への外気の入口側と出口側との間で一方側から他方側に、水切り板を傾斜して配設したことを特徴とする請求項１に記載の空気調和装置の室外機。
【請求項３】
水切り板は分割板状フィンの外方に延びており、前記分割板状フィンの外方に位置する前記水切り板は端部側が下方となるように傾斜していることを特徴とする請求項１又は２に記載の空気調和装置の室外機。
【請求項４】
複数の上下の水切り板のうち、上方の水切り板の端部が下方の水切り板の端部よりも分割板状フィンから離れた位置となるように形成したことを特徴とする請求項３に記載の空気調和装置の室外機。
【請求項５】
水切り板は、分割板状フィンの外方であって室外機の機外側に延びており、前記水切り板の端部が前記室外機の機外に位置するように形成したことを特徴とする請求項３又は４に記載の空気調和装置の室外機。
【請求項６】
所定の間隔で平行に配設した多数の縦長の板状フィンと、前記板状フィンを貫通して水平に配設した多数の伝熱管とを有し、暖房運転時に蒸発器として機能する室外熱交換器と、前記室外熱交換器に外気を流通させる室外送風機とを備え、前記室外熱交換器を上方が外表面側に下方が内部側に位置するように傾斜して配置した空気調和装置の室外機において、
前記板状フィンを直交方向で分割して形成した複数の分割熱交換器と、
斜め上下に隣合う前記分割熱交換器の間に配設し、除霜運転時の融解水を分割板状フィンの下端から排水する水切り板とを備えたことを特徴とする空気調和装置の室外機。
【請求項７】
複数の分割熱交換器の側板を１枚の側板で共用して室外熱交換器を一体化したことを特徴とする請求項１〜６のいずれかに記載の空気調和装置の室外機。
【請求項８】
所定の間隔で平行に配設した多数の縦長の板状フィンと、前記板状フィンを貫通して水平に配設した多数の伝熱管とを有し、暖房運転時に蒸発器として機能する室外熱交換器と、前記室外熱交換器に外気を流通させる室外送風機とを備えた空気調和装置の室外機において、
前記板状フィンを水平方向で分割して複数の分割熱交換器を形成し、
各分割熱交換器は、分割板状フィンの上端が上部板で塞がれ、下端が開放されており、
上方の分割熱交換器が室外機の外表面側で下方の分割熱交換器が室外機の内部側であって、上方の分割熱交換器の内部側下端角部と下方の分割熱交換器の外表面側上端角部とが近接する位置に配置したことを特徴とする空気調和装置の室外機。
【請求項９】
複数の分割熱交換器を、相互に独立して冷媒循環が可能な複数の冷媒循環回路に介設して、前記分割熱交換器の除霜運転を前記冷媒循環回路毎にずらせて行うようにしたことを特徴とする請求項１〜８のいずれかに記載の空気調和装置の室外機。
【発明の詳細な説明】
【技術分野】
【０００１】
本発明は、空気調和装置の室外機に係り、室外熱交換器における除霜運転時の融解水の水切りを短時間で確実に行うことができるようにした技術である。
【背景技術】
【０００２】
ヒートポンプタイプの空気調和装置の暖房運転では、外気が低温度で高湿度の条件において、室外機に設けている室外熱交換器の板状フィンの表面に着霜し、室外熱交換器の空気抵抗の増加及び熱交換性能の低下が生ずる。
さらに、室外熱交換器の板状フィンへの着霜量が大きくなると、蒸発温度及び凝縮温度の低下、暖房能力の低下などが生じ、圧縮機への吸入圧力の低下と液バックが生じて圧縮機の耐久性に影響を与えることとなる。
【０００３】
そこで、室外熱交換器の着霜状態を検出して暖房運転を停止し除霜運転を行うようにしており、かつ、暖房能力の低下をできるだけ小さくするためには、除霜運転時間を短くする必要がある。
そして、除霜運転時の融解水は、縦長の板状フィンを下方に伝わって落ちるが、板状フィンの下方部に付着したまま暖房運転に切り替えると、短時間で融解水が氷結して頻繁に除霜運転をしなければならなくなる。
【０００４】
このため、従来、融解水の排水をし易くした構造の板状フィンを備えた熱交換器が知られている（例えば、特許文献１及び特許文献２参照）。
特許文献１に記載の従来の熱交換器の板状フィンは、伝熱管の貫通部分を除いた全域を上下方向で山及び谷からなる波形に形成している。
【０００５】
また、特許文献２に記載の従来の熱交換器の板状フィンは、多数の打抜き孔と、これらの打抜き孔を通る条溝を間隔をおいて鉛直方向に複数設けている。
【先行技術文献】
【特許文献】
【０００６】
【特許文献１】特開平６−８２１８９号公報
【特許文献２】特公昭５３−４６４９８号公報
【発明の概要】
【発明が解決しようとする課題】
【０００７】
特許文献１及び特許文献２に記載された従来の技術は、板状フィンを波形としたり、板状フィンに条溝を形成して除霜運転による融解水を下方に流れ易くしている。
しかしながら、これら従来の技術は、縦長の板状フィンを上端から下端まで一体に形成しているため、除霜運転による融解水の流れ落ちる距離が長いので水切りに時間がかかるという課題があった。
【０００８】
したがって、従来の技術では、除霜運転による融解水の水切りのための時間がかかり、暖房運転時間の短縮に起因した暖房能力の低下を防止することに限界があった。
本発明は、特許文献１及び特許文献２に記載の従来の空気調和装置における課題を解決して、室外熱交換器における除霜運転時の融解水の水切りを短時間で確実に行えることを目的としている。
【課題を解決するための手段】
【０００９】
本発明の空気調和装置の室外機は、所定の間隔で平行に配設した多数の縦長の板状フィンと、板状フィンを貫通して水平に配設した多数の伝熱管とを有し、暖房運転時に蒸発器として機能する室外熱交換器と、室外熱交換器に外気を流通させる室外送風機とを備えた空気調和装置の室外機において、
板状フィンを水平方向で分割して形成した複数の分割熱交換器と、
上下に隣合う分割熱交換器の間に配設し、除霜運転時の融解水を板状フィンの下端から排水する水切り板とを備えたものである。
【発明の効果】
【００１０】
本発明の空気調和装置の室外機は、板状フィンを水平方向で分割して形成した複数の分割熱交換器と、上下に隣合う分割熱交換器の間に配設し、除霜運転時の融解水を板状フィンの下端から排水する水切り板とを備えたから、除霜運転時に板状フインで発生した融解水が短い距離で速やかに分割熱交換器の各板状フィンの下方に到達して水きり板から排水することができ、除霜運転時間を短くして暖房能力を大きくすることができるのである。
【図面の簡単な説明】
【００１１】
【図１】本発明の実施の形態１に係る空気調和装置の暖房運転時を示す概略説明図である。
【図２】本発明の実施の形態１に係る空気調和装置の除霜運転時を示す概略説明図である。
【図３】図１の水切り板を一部切欠いた状態を示す室外熱交換器部分のＡ矢視図である。
【図４】本発明の実施の形態２に係る空気調和装置の室外機を示す概略説明図である。
【図５】本発明の実施の形態３に係る空気調和装置の室外機を示す概略説明図である。
【図６】本発明の実施の形態４に係る空気調和装置の室外機を示す概略説明図である。
【図７】本発明の実施の形態５に係る空気調和装置の室外機を示す概略説明図である。
【図８】本発明の実施の形態６に係る空気調和装置の暖房運転時を示す概略説明図である。
【図９】本発明の実施の形態７に係る空気調和装置の室外機を示す概略説明図である。
【図１０】本発明の実施の形態８に係る空気調和装置の室外機を示す概略説明図である。
【図１１】本発明の実施の形態９に係る空気調和装置の暖房運転時を示す概略説明図である。
【図１２】本発明の実施の形態９に係る空気調和装置の暖房運転及び除霜運転を同時に行う場合を示す概略説明図である。
【発明を実施するための形態】
【００１２】
実施の形態１．
本発明の実施の形態１を図１〜図３に基づいて説明する。
実施の形態１は、空気調和装置の室外機に係るものであり、図１は空気調和装置の暖房運転時を示し、図２は除霜運転時を示し、図３は図１の水切り板を一部切欠いた状態を示す室外熱交換器部分のＡ矢視図である。
【００１３】
図１〜図３において、１は空気調和装置であり、室外機２と室内機３とを備えている。
空気調和装置１は、冷房運転及び暖房運転が可能なヒートポンプタイプであり、暖房運転時に室外機２に設けた室外熱交換器４の着霜を検出して除霜運転を行うようにしている。
【００１４】
また、空気調和装置１は、圧縮機１１、四路切替弁１２、室内熱交換器１３、冷暖共用膨張弁１４、室外熱交換器４、四路切替弁１２、気液分離器１５及び前記圧縮機１１を冷媒管１６により接続して冷媒循環回路１７を形成している。
室外機２は、所定の間隔で平行に配設した多数の縦長の板状フィン５と、板状フィン５を貫通して水平に配設した多数の伝熱管（図示せず）とを有し、暖房運転時に蒸発器として機能する室外熱交換器４と、室外熱交換器４に外気を流通させる室外送風機６とを備えている。
【００１５】
室外熱交換器４は、縦長の板状フィン５を水平方向に４分割してそれぞれ分割板状フィン５１を備えた４基の分割熱交換器７を形成している。
上下に隣合う分割熱交換器７、７の間には、除霜運転時の融解水を分割板状フィン５１の下端から排水する水切り板８を備えている。
【００１６】
水切り板８は、上方の第一水切り板８ａと、中間の第二水切り板８ｂと、下方の第三水切り板８ｃとの３枚から形成している。
各水切り板８ａ、８ｂ、８ｃは、それぞれ分割板状フィン５１の外方に延びており、分割板状フィン５１の外方に位置する水切り板８ａ、８ｂ、８ｃは端部側が下方となるように傾斜して、融解水の水切りを促進している。
【００１７】
また、３枚の水切り板８ａ、８ｂ、８ｃは、上側の水切り板８の端部が下側の水切り板８の端部よりも分割板状フィン５１から離れた位置となるように大きく形成して、上側の水切り板８からの融解水が下側の水切り板８に当たって飛び散ることを防止している。
なお、各水切り板８ａ、８ｂ、８ｃにおける分割板状フィン５１の外気入口側に立上り片８ｄを形成して、上方の分割板状フィン５１の外気入口側から下方の分割板状フィン５１の外気入口側に融解水が伝わって落ちることを防止している。
【００１８】
なお、図１及び図２において、４１は暖房運転時に冷媒入口側となり、冷房運転時及び除霜運転時に冷媒出口側となる第一ヘッダー、４２は暖房運転時に冷媒出口側となり、冷房運転時及び除霜運転時に冷媒入口側となる第二ヘッダーである。
図１及び図２では、図示を簡単にするために第一ヘッダー４１及び第二ヘッダー４２を分割していないが、図３に示すように、分割熱交換器７に合わせてそれぞれ４分割して分割第一ヘッダー７１及び分割第二ヘッダー７２とするのである。
【００１９】
また、図１及び図２において、１８は室外機２に設けた制御箱、１９は室内機３に設けた室内送風機、７３は各分割熱交換器７の両側に設けた一対の側板である。
次に、図１及び図２に基づいて、暖房運転及び除霜運転を説明する。
【００２０】
図１に示す暖房運転において、圧縮機１１で圧縮した冷媒は、四路切替弁１２を経由して室内熱交換器１３に入り、室内熱交換器１３で凝縮して室内送風機１９により循環する空気と熱交換して室内を暖房する。
室内熱交換器１３で凝縮した冷媒は、冷暖共用膨張弁１４で減圧され第一ヘッダー４１から４基の分割熱交換器７からなる室外熱交換器４で蒸発し、第二ヘッダー４２、四路切替弁１２及び気液分離器１５を経由して圧縮機１１に戻ることにより、暖房運転を行う。
【００２１】
暖房運転の継続により、室外条件が低温高湿度であればあるほど、室外熱交換器４（４基の分割熱交換器７）の分割板状フィン５１に着霜して風量が低下するとともに熱交換性能が低下して暖房能力が低下してくる。
したがって、着霜を検出して暖房運転から図２に示す除霜運転に切り替えるのである。
【００２２】
除霜運転は、四路切替弁１２を切り替え、室外送風機６及び室内送風機１９を停止させて、圧縮機１１を運転する。
圧縮機１１で圧縮した冷媒は、四路切替弁１２を経由して第二ヘッダー４２から４基の分割熱交換器７で凝縮し、分割熱交換器７の分割板状フィン５１の霜を溶かすのである。
【００２３】
分割熱交換器７で凝縮した冷媒は、第一ヘッダー４１から冷暖共用膨張弁１４で減圧され室内熱交換器１３に入り、室内熱交換器１３で蒸発して四路切替弁１２及び気液分離器１５を経由して圧縮機１１に戻ることにより除霜運転を行うのである。
そして、この除霜運転において融解した分割板状フィン５１の融解水は、上下方向が分割により短くなった分割板状フィン５１を速やかに下方に落ちて水切り板８から室外機２のベース部２１に落ち、排水穴から機外に排水されるのである。
【００２４】
実施の形態２．
次に、本発明の実施の形態２を図４に基づいて説明する。
実施の形態２は、実施の形態１における水切り板の構成を変更したものであり、図４は冷媒循環回路を省略した室外機の概略説明図である。
【００２５】
以下、実施の形態１と同様な構成については、同一の符号を付して説明を省略し、実施の形態１と相違する水切り板の構成について説明する。
図４において、上下に隣合う分割熱交換器７、７の間には、除霜運転時の融解水を分割板状フィンの下端から排水する水切り板８１を備えている。
【００２６】
水切り板８１は、上方の第一水切り板８１ａと、中間の第二水切り板８１ｂと、下方の第三水切り板８１ｃとの３枚から形成している。
各水切り板８１ａ、８１ｂ、８１ｃは、室外熱交換器４への外気の入口側が上で出口側が下になるように傾斜して配設するとともに、それぞれ分割板状フィンの外方に延びている。
【００２７】
このように水切り板８１を傾斜して配設することにより、分割板状フィンの下端から水切り板８１に落ちた融解水は傾斜した水切り板８１により速やかに流れ落ち、水切りが促進される。
また、３枚の水切り板８１ａ、８１ｂ、８１ｃは、実施の形態１と同様に、上側の水切り板８の端部が下側の水切り板８の端部よりも分割板状フィンから離れた位置となるように大きく形成して、上側の水切り板８からの融解水が下側の水切り板８に当たって飛び散ることを防止している。
【００２８】
なお、各水切り板８１ａ、８１ｂ、８１ｃにおける分割板状フィンの外気入口側に立上り片８１ｄを形成して、上方の分割板状フィンの外気入口側から下方の分割板状フィンの外気入口側に融解水が伝わって落ちることを防止している。
【００２９】
実施の形態３．
次に、本発明の実施の形態３を図５に基づいて説明する。
実施の形態３は、実施の形態１における水切り板の構成を変更したものであり、図５は冷媒循環回路を省略した室外機の概略説明図である。
【００３０】
以下、実施の形態１と同様な構成については、同一の符号を付して説明を省略し、実施の形態１と相違する水切り板の構成について説明する。
図５において、上下に隣合う分割熱交換器７、７の間には、除霜運転時の融解水を分割板状フィンの下端から直接機外に排水する水切り板８２を備えている。
【００３１】
水切り板８２は、上方の第一水切り板８２ａと、中間の第二水切り板８２ｂと、下方の第三水切り板８２ｃとの３枚から形成している。
各水切り板８２ａ、８２ｂ、８２ｃは、それぞれ分割板状フィンの外方の機外に延びており、分割板状フィンの外方の機外に位置する水切り板８２ａ、８２ｃ、８２ｃは端部側が下方となるように傾斜して、融解水の水切りを促進している。
【００３２】
また、３枚の水切り板８２ａ、８２ｂ、８２ｃは、上側の水切り板８の端部が下側の水切り板８の端部よりも分割板状フィンから離れて機外に大きく延びるように形成して、上側の水切り板８からの融解水が下側の水切り板８に当たって飛び散ることを防止している。
なお、各水切り板８２ａ、８２ｂ、８２ｃにおける分割板状フィンの外気出口側に立上り片８２ｄを形成して、上方の分割板状フィンの外気出口側から下方の分割板状フィンの外気出口側に融解水が伝わって落ちることを防止している。
【００３３】
この実施の形態３は、上方の３基の分割熱交換器７の融解水を直接機外に排水し、下方の1基の分割熱交換器７の融解水が室外機２のベース部２１の排水穴から機外に排水するようにしている。
したがって、融解水が室外機２のベース部２１の排水穴から機外に排水される前にベース部２１上で氷結することがあり、ベース部２１に電気ヒータなどを設置して再融解させる手段が必要であったが、この実施の形態では、そのような再融解の手段を小規模にできる。
【００３４】
実施の形態４．
次に、本発明の実施の形態４を図６に基づいて説明する。
実施の形態４は実施の形態３における下方の１基の分割熱交換器の分割板状フィンの下端にも水切り板を設けた構成に変更したものである。
【００３５】
以下、実施の形態３と同様な構成については、同一の符号を付して説明を省略し、実施の形態３と相違する構成について説明する。
図６において、上下に隣合う分割熱交換器７、７の間及び最下部の分割熱交換器７の分割板状フィンの下端には、除霜運転時の融解水を分割板状フィンの下端から直接機外に排水する水切り板８３を備えている。
【００３６】
水切り板８３は、上方から順に、第一水切り板８３ａと、第二水切り板８３ｂと、第三水切り板８３ｃと、第四水切り板８３ｄの４枚から形成している。
各水切り板８３ａ、８３ｂ、８３ｃ、８３ｄは、それぞれ分割板状フィンの外方の機外に延びており、分割板状フィンの外方の機外に位置する水切り板８３ａ、８３ｂ、８３ｃ、８３ｄは端部側が下方となるように傾斜して、融解水の水切りを促進している。
【００３７】
また、４枚の水切り板８３ａ、８３ｂ、８３ｃ、８３ｄは、上側の水切り板８の端部が下側の水切り板８の端部よりも分割板状フィンから離れて機外に大きく延びるように形成して、上側の水切り板８からの融解水が下側の水切り板８に当たって飛び散ることを防止している。
なお、各水切り板８３ａ、８３ｂ、８３ｃ、８３ｄにおける分割板状フィンの外気出口側に立上り片８３ｅを形成して、上方の分割板状フィンの外気出口側から下方の分割板状フィンの外気出口側に融解水が伝わって落ちることを防止している。
【００３８】
この実施の形態４は、４基の分割熱交換器７からなる室外熱交換器２の融解水を直接機外に排水するようにしている。
したがって、融解水が室外機２のベース部２１の排水穴から機外に排水される前にベース部２１上で氷結するおそれがなく、再融解させる手段を不要にできる。
【００３９】
実施の形態５．
次に、本発明の実施の形態５を図７に基づいて説明する。
実施の形態５は実施の形態４における下方の１基の分割熱交換器を除去して３基の分割熱交換器とするとともに、下方の２枚の水切り板を除去してベース部から立ち上げた水切り兼用板状部を設けた構成に変更したものである。
【００４０】
以下、実施の形態４と同様な構成については、同一の符号を付して説明を省略し、実施の形態４と相違する構成について説明する。
図７において、上下に隣合う分割熱交換器７、７の間には、除霜運転時の融解水を分割板状フィンの下端から直接機外に排水する水切り板８４を備えている。
【００４１】
水切り板８４は、上方の第一水切り板８４ａと、下方の第二水切り板８４ｂとの２枚から形成している。
各水切り板８４ａ、８４ｂは、それぞれ分割板状フィンの外方の機外に延びており、分割板状フィンの外方の機外に位置する水切り板８４ａ、８４ｂは端部側が下方となるように傾斜して、融解水の水切りを促進している。
【００４２】
また、２枚の水切り板８４ａ、８４ｂは、上側の水切り板８４ａの端部が下側の水切り板８４ｂの端部よりも分割板状フィンから離れて機外に大きく延びるように形成して、上側の水切り板８４ａからの融解水が下側の水切り板８４ｂに当たって飛び散ることを防止している。
なお、各水切り板８４ａ、８４ｂにおける分割板状フィンの外気出口側に立上り片８４ｃを形成して、上方の分割板状フィンの外気出口側から下方の分割板状フィンの外気出口側に融解水が伝わって落ちることを防止している。
【００４３】
また、最下方の分割熱交換器７の内部側下端角部に接するように内部側から外側に向かって下降する傾斜面を備えた水切り兼用板状部２２をベース部２１から立ち上げている。
この実施の形態５は、３基の分割熱交換器７からなる室外熱交換器４の融解水を直接機外に排水するようにしている。
【００４４】
したがって、この実施の形態５は、実施の形態４と同様に、融解水が室外機２のベース部２１の排水穴から機外に排水される前にベース部２１上で氷結するおそれがなく、再融解させる手段を不要にできる。
【００４５】
実施の形態６．
次に、本発明の実施の形態６を図８に基づいて説明する。
実施の形態６は、実施の形態１における室外機及び室内機の構成を変更するとともに、冷媒循環回路の構成品の一部を室外機から室内機に配置し、かつ、室外熱交換器の構成を変更したものである。
【００４６】
以下、実施の形態１と同様な構成については、同一の符号を付して説明を省略し、実施の形態１と相違する構成について説明する。
図８において、空気調和装置１ａは、室外熱交換器４ａ及び室外送風機６を内蔵した室外機２ａと、圧縮機１１、四路切替弁１２、室内熱交換器１３、冷暖共用膨張弁１４、室外熱交換器４、気液分離器１５及び室内送風機１９を内蔵した室内機３ａとを備えている。
【００４７】
空気調和装置１ａは、冷房運転及び暖房運転が可能なヒートポンプタイプであり、暖房運転時に室外機２ａに設けた室外熱交換器４の着霜を検出して除霜運転を行うようにしている。
また、空気調和装置１ａは、実施の形態１と同様に、圧縮機１１、四路切替弁１２、室内熱交換器１３、冷暖共用膨張弁１４、室外熱交換器４、四路切替弁１２、気液分離器１５及び前記圧縮機１１を冷媒管１６により接続して冷媒循環回路１７を形成している。
【００４８】
室外機２ａは、所定の間隔で平行に配設した多数の縦長の板状フィンと、板状フィンを貫通して水平に配設した多数の伝熱管とを有し、暖房運転時に蒸発器として機能する一対の室外熱交換器４ａを内蔵している。
各室外熱交換器４ａは、上方が外表面側に下方が内部側に位置するように傾斜して配置するとともに、板状フィンを直交方向で分割してそれぞれ分割板状フィンを備えた４基の分割熱交換器７を形成している。
【００４９】
また、各室外熱交換器４ａは、斜め上下に隣合う分割熱交換器７、７の間に配設し、除霜運転時の融解水を分割板状フィンの下端から排水する水切り板８５を備えている。
各室外熱交換器４ａの水切り板８５は、上方の第一水切り板８５ａと、中間の第二水切り板８５ｂと、下方の第三水切り板８５ｃとの３枚から形成している。
【００５０】
各水切り板８５ａ、８５ｂ、８５ｃは、それぞれ分割板状フィンの外方に延びている。
また、各室外熱交換器４ａは、上方が外表面側に下方が内部側に位置するように傾斜しているから、３枚の水切り板８５ａ、８５ｂ、８５ｃも端部が下方となるように傾斜して、融解水の水切りを促進している。
【００５１】
さらに、各室外熱交換器４ａの傾斜に伴い、３枚の水切り板８５ａ、８５ｂ、８５ｃの端部は、同じ形状に形成でありながら、上方の水切り板８５の方が下方の水切り板８５の方よりも外方に位置している。
したがって、上側の水切り板８からの融解水が下側の水切り板８に当たって飛び散ることを防止している。
【００５２】
なお、図８において、制御箱１８は圧縮機１１などの制御部品を多く内蔵している室内機３ａに配設している。
また、以上の説明を除いた構成については、実施の形態１乃至実施の形態５を参照すれば説明するまでもなく、自明である。
【００５３】
実施の形態７．
次に、本発明の実施の形態７を図９に基づいて説明する。
実施の形態７は、実施の形態１における各分割熱交換器毎に設けていた側板を、分割熱交換器の４基に共通に設けて、４基の分割熱交換器を一体化したものである。
【００５４】
図９は、図３に対応する図面であり、分割熱交換器７の４基に共通の一対の側板４３を設けて、４基の分割熱交換器７を一体化した室外熱交換器４としたのである。
そして、分割熱交換器７を一体化できたので、図３における分割第一ヘッダー７１及び  分割第二ヘッダー７２も一体化でき、共通の第一ヘッダー４１及び第二ヘッダー４２とすることができる。
【００５５】
したがって、この実施の形態７では、室外熱交換器４を４基の分割熱交換器７としながら、一対の側板４３により一体化でき、部品点数を削減でき、かつ、室外熱交換器４の製造が簡単となる。
なお、実施の形態７は、側板４３、第一ヘッダー４１及び第二ヘッダー４２の構成が、第一の実施の形態から変更され、これらを除く構成については、第一の実施の形態と同じである。
【００５６】
図９において、水切り板８６は符号８６ａ、８６ｂ、８６ｃで符号を替えて表わしているが、構成は実施の形態１と同様である。
【００５７】
実施の形態８．
次に、本発明の実施の形態８を図１０に基づいて説明する。
実施の形態８は、実施の形態１における上下に隣合う分割熱交換器の間に配設していた水切り板を設けることなく、分割熱交換器の構成により融解水の水切りが短時間で行なえるようにしたものである。
【００５８】
図１０において、各分割熱交換器７は、分割板状フィンの上端が上部板（図示せず）で塞がれ、下端が開放されている。
そして、上方の分割熱交換器７が室外機２の外表面側で下方の分割熱交換器７が室外機２の内部側であって、上方の分割熱交換器７の内部側下端角部７４と下方の分割熱交換器７の外表面側上端角部７５とが近接する位置に配置している。
【００５９】
したがって、この実施の形態８では、各分割熱交換器７の構成により、水切り板を設けることなく、融解水の水切りを短時間で行なえる。
なお、上方の分割熱交換器７の内部側下端角部７４と下方の分割熱交換器７の外表面側上端角部７５との間には、外気が分割熱交換器７をバイパスしないように、適宜形状のバイパス防止部材を（図示せず）を設けることが望ましい。
【００６０】
実施の形態９．
次に、本発明の実施の形態９を図１１及び図１２に基づいて説明する。
実施の形態９は、実施の形態４における冷媒循環回路（実施の形態１の図１及び図２参照）を２系統とし、一方の冷媒循環回路で除霜運転している時に、他方の冷媒循環回路で暖房運転をして、暖房能力がゼロとならないようにしたものである。
【００６１】
図１１は冷媒循環回路が２系統とも暖房運転の場合を示し、図１２は上方の冷媒循環回路が除霜運転で、下方の冷媒循環回路が暖房運転の場合を示す。
図１１及び図１２において、室外機２は、４基の分割熱交換器７からなる室外熱交換器４と、室外熱交換器４に外気を流通させる室外送風機６とを備えている。
【００６２】
室外熱交換器４における上方の２基の分割熱交換器７を一方の第一冷媒循環回路１７ａに介設し、室外熱交換器４における下方の２基の分割熱交換器７を他方の第二冷媒循環回路１７ｂに介設している。
また、上下に隣合う分割熱交換器７、７の間及び最下部の分割熱交換器７の分割板状フィンの下端には、図６と同様に、除霜運転時の融解水を分割板状フィンの下端から直接機外に排水する水切り板８３を備えている。
【００６３】
そして、室外機２には、圧縮機１１、四路切替弁１２、室内熱交換器１３、気液分離器１５、第一ヘッダー４１及び第二ヘッダー４２をそれぞれ２基備えている。
また、室外機２は、１基の室外送風機６及び1基の制御箱１９を備えている。
【００６４】
室内機３は、室内熱交換器１３及び冷暖共用膨張弁１４をそれぞれ２基備え、１基の室内送風機１９を備えている。
暖房運転は、図１１に示すように、２系統の冷媒循環回路１７ａ、１７ｂをともに矢印で示すように冷媒を循環させて、各分割熱交換器７を蒸発器、各室内熱交換器１３を凝縮器として機能させている。
【００６５】
そして、除霜運転については、一方の冷媒循環回路で除霜運転している時に、他方の冷媒循環回路で暖房運転をして、暖房能力がゼロとならないよう制御するのである。
例えば、図１２に矢印で示すように、第一冷媒循環回路１７ａで除霜運転を行い、第二冷媒循環回路１７ｂで暖房運転を行うのであり、この場合、室外送風機６及び室内送風機１９は運転を継続している。
【００６６】
特に、第一冷媒循環回路１７ａに介設した上方の２基の分割熱交換器７を除霜しても、融解水が下方の第二冷媒循環回路１７ｂに介設した２基の分割熱交換器７に流れ落ちるおそれがなく、下方の分割熱交換器７で氷結することを防止することができるのである。
【００６７】
実施の形態の変形例
以上の実施の形態１〜実施の形態９では、冷媒循環回路を暖房運転時と逆サイクルにして除霜運転を行った例を示したが、ホットガスバイパス方式、電気ヒータなどによる外部熱源方式など、適宜の除霜運転方式を採用することができる。
また、以上の実施の形態１〜実施の形態９では、室外熱交換器を４基、３基、８基に分割した例を示したが、複数に分割すればよい。
【００６８】
以上の実施の形態７では、一対の側板により、４基の分割熱交換器を一体化したが、実施の形態８を除く、実施の形態１〜実施の形態６及び実施の形態９にも適用することができる。
以上の実施の形態９では、冷媒循環回路を２系統として、分割熱交換器の除霜運転を２系統の冷媒循環回路で同時に行わないようにしたが、実施の形態１〜実施の形態８にも適用することができる。
【００６９】
以上の実施の形態１〜実施の形態９では、室外熱交換器の出入口にヘッダーを設けたが、ヘッダーに替えて冷媒分流器を用いることもできる。
【符号の説明】
【００７０】
１、１ａ  空気調和装置
２、２ａ  室外機
４、４ａ  室外熱交換器
４３  側板
５  板状フィン
５１  分割板状フィン
６  室外送風機
７  分割熱交換器
７４  内部側下端角部
７５  外表面側上端角部
８、８１、８２、８３、８４、８５、８６  水切り板
１７、１７ａ、１７ｂ  冷媒循環回路
【図１】
2014219138.tif 000003
【図２】
2014219138.tif 000004
【図３】
2014219138.tif 000005
【図４】
2014219138.tif 000006
【図５】
2014219138.tif 000007
【図６】
2014219138.tif 000008
【図７】
2014219138.tif 000009
【図８】
2014219138.tif 000010
【図９】
2014219138.tif 000011
【図１０】
2014219138.tif 000012
【図１１】
2014219138.tif 000013
【図１２】
2014219138.tif 000014